(57)【要約】【課題】ガス分析装置における測定のバックグラウンドの時間変化の影響が加味された測定結果を得ることができるようにする。【解決手段】演算処理部３８は重み付け手段３９と演算手段４０を備えている。演算手段４０は検出器２６で得られる検出信号に基づいてＮＯ、ＮＯ2及びＮＯXの濃度を求める演算を行なうものである。重み付け手段３９は、演算手段４０が演算に使用する検出信号について重み付けを行なうものである。【選択図】  図１
2013156234.tif 000002
【特許請求の範囲】
【請求項１】
ガスを流通させるためのセルを備え、セルを流れるガス中のＮＯ濃度に起因した検出信号を発する検出器と、
サンプルガス、サンプルガス中の窒素化合物をＮＯに変換した変換ガス又は基準ガスのうち互いに異なるいずれかのガスである第１ガス及び第２ガスを含む複数種類のガスを前記セルに一定周期で切り替えて順次導入するガス導入機構と、
前記検出器で得られた検出信号を逐次記憶していく検出信号記憶部と、
一定周期で設定された演算タイミングで、前記検出信号記憶部の検出信号に基づいてサンプルガス中の窒素化合物濃度の演算を行なう演算処理部と、を備え、
前記演算処理部は、その演算タイミングの直前（第ｎ回目（ｎは２以上の自然数））の前記第１ガスについての測定で得られた検出信号である直前第１ガス信号と、前記第１ガスについての前回（第ｎ−１回目）の測定で得られた検出信号である前回第１ガス信号について、それぞれの信号が得られた時点と、前記前回第１ガス信号が得られた後で前記直前第１ガス信号が得られる前の前記第２ガスについての検出信号である第２ガス信号が得られた時点との間の時間差の比率に基づいて重み付けを行ない、前記第２ガス信号が得られた時点を基準とする前記第１ガスについての検出信号を求める重み付け手段と、前記重み付け手段により求められた前記第１ガスについての検出信号と前記第２ガス信号とを用いて前記第２ガス信号が得られた時点におけるサンプルガス中の窒素化合物濃度の演算を行なう演算手段と、を備えているガス分析計。
【請求項２】
前記重み付け手段は、前記第２ガス信号の得られた時点から前記直前第１ガス信号の得られた時点までの時間の長さと、前記前回第１ガス信号の得られた時点から前記第２ガス信号の得られた時点までの時間の長さの比率がＡ：Ｂであった場合に、前記直前第１ガス信号と前記前回第１ガス信号にＢ：Ａの比率の係数を掛けて重み付けを行なう請求項１に記載のガス分析計。
【請求項３】
前記重み付け手段は、前記直前第１ガス信号及び前記前回第１ガス信号をそれぞれ前半部分と後半部分の少なくとも２つに時間的に分割し、前記直前第１ガス信号の前半部分と前記前回第１ガス信号の後半部分について重み付けを行なう請求項１又は２に記載のガス分析計。
【請求項４】
前記窒素化合物はＮＯ2を含む請求項１から３のいずれか一項に記載のガス分析計。
【請求項５】
前記窒素化合物はＮＨ3を含む請求項１から３のいずれか一項に記載のガス分析計。
【発明の詳細な説明】
【技術分野】
【０００１】
本発明は、煙道などの排ガス濃度を測定することを目的としたガス分析計に関し、特に検出器で得られた信号に基づいて算出される測定演算対象ガス濃度のデータ処理方法に関するものである。
【背景技術】
【０００２】
煙道などの排ガスをサンプルガスとして、サンプルガス中のＮＯやＮＯ2など窒素酸化物ＮＯXの濃度を測定するガス分析計がある（特許文献１参照。）。一般的なガス分析計の構成の一例を図５に示す。
サンプルガス流路２と基準ガス流路４が設けられている。サンプルガス流路２と基準ガス流路４はともに検出流路８に接続されている。サンプルガス流路２上には、サンプルガスを引き込むためのポンプ１８のほか、サンプルガス中の窒素酸化物ＮＯX（主にＮＯとＮＯ2）をすべてＮＯにするコンバータ２２やサンプルガス流路２を開閉するための電磁弁２４が配置されている。また、サンプルガス流路２上のコンバータ２２の上流側に３方電磁弁２０を介してバイパス流路６が接続されている。バイパス流路６はサンプルガスをコンバータ２２に通さずに迂回させてサンプルガス流路２に戻す流路である。また、排出流路１０がサンプルガス流路２の電磁弁２４の直前の位置に接続されている。
【０００３】
基準ガス流路４上には、フィルタ２８、基準ガス精製器３０、ポンプ３２及び電磁弁３４が配置されている。基準ガス流路４では、ポンプ３２によってフィルタ２８を介して引き込まれた空気が基準ガス精製器３０を経て基準ガスとされる。基準ガス流路４は電磁弁３４により開閉され、電磁弁３４が閉じられているときは電磁弁３４の直前に接続された排出流路１６から基準ガスが排出される。
【０００４】
電磁弁２０、２４及び３４は制御部３６によって制御される。制御部３６は、基準ガス、コンバータ２２を経たサンプルガス（以下、変換ガスという。）及びバイパス流路６を通ってコンバータ２２を迂回したサンプルガス（以下、無変換ガスという。）が順次一定時間ごとに切り替えられて検出器８のセルに導入されるように電磁弁２０、２４及び３４を制御する。演算制御部４２は、検出器２６で得られる検出信号を取り込み、その検出信号を使用してサンプルガス中のＮＯ、ＮＯ2及びＮＯXの濃度を求める。
【０００５】
このガス分析計のＮＯX測定手順の一例を図５とともに図６を参照しながら説明する。
このガス分析計の測定では、上述のように、検出器２６のセルに、基準ガス、変換ガス及び無変換ガスを順に切り替えて導入し、各ガスがセルに導入されているときに検出器２６で得られた検出信号を使用してサンプルガスのＮＯ、ＮＯ2又はＮＯXの濃度を求める。各ガスは一定時間、例えば１０秒間ずつ検出器２６のセルに導入する。配管内やセル内のガスが完全に置換されるまでの時間を考慮し、導入ガスを切り替えてから５秒が経過した後の残りの５秒間で得られる検出器２６の検出信号を測定に使用する。
【０００６】
検出器２６のセルにＮ回目の基準ガス導入を行なったときの検出信号をＲn、Ｎ回目の変換ガス導入を行なったときの検出信号をＮＸn、Ｎ回目の無変換ガス導入を行なったときの検出信号をＮnとする。これらの検出信号Ｒn、ＮＸn、Ｎnはセルに各ガスを導入して５秒間が経過した後の残りの５秒間で得られた検出信号である。
【０００７】
（Ａ）のタイミングでは、直近の変換ガス導入時の検出信号ＮＸnと直近の基準ガス導入時の検出信号Ｒnが使用されてサンプルガス中のＮＯとＮＯ2を含めた全ての窒素酸化物ＮＯXの濃度が演算される。
【０００８】
（Ｂ）のタイミングでは、直近の無変換ガス導入時の検出信号Ｎnと基準ガス導入時の検出信号Ｒnが使用されてサンプルガス中のＮＯの濃度が演算される。また、（Ｂ）のタイミングでは、（Ａ）のタイミングで演算されたＮＯX濃度からＮＯ濃度を差し引くことによりサンプルガス中のＮＯ2の濃度が演算される。
【０００９】
（Ｃ）のタイミングでは、そのタイミングの直前に得られたＮ＋１回目の基準ガス導入時の検出信号Ｒn+1と直近のＮＸn及びＮnが使用され、サンプルガス中のＮＯ、ＮＯ2及びＮＯXの濃度が演算される。（Ｄ）及び（Ｅ）以降のタイミングでも、同様に直近に取得された検出信号を使用してＮＯ、ＮＯ2又はＮＯXの濃度が演算される。
【先行技術文献】
【特許文献】
【００１０】
【特許文献１】特開２００３−１４５９１号公報
【発明の概要】
【発明が解決しようとする課題】
【００１１】
上記のガス分析装置の各測定では、セルに導入するガスを時間によって切り替えて測定するため、サンプルガス中の窒素酸化物濃度や装置の周囲温度、圧力などが時間の経過とともに変化し、その変化が大きい場合にはＮＯ濃度やＮＯ2濃度の測定結果に影響を与える。例えば図６の例の（Ａ）のタイミングにおけるＮＯX濃度の演算では、直近の検出信号ＮＸnとＲnが使用されるが、（Ａ）の時点は検出信号Ｒnの取得時から１０秒が経過しており、その間に装置の周囲温度や圧力など測定のバックグラウンドが変化していることがある。そのため、Ｒnを基準に検出信号ＮＸnで演算を行なうと、演算結果に誤差を含むことがある。
【００１２】
同様に、（Ｂ）のタイミングにおけるＮＯ濃度やＮＯ2濃度の演算で直近の基準ガスの検出信号Ｒnを使用するが、検出信号Ｎnを取得した時点でＲnの取得時から２０秒もの時間が経過しているおり、Ｒnを基準に検出信号Ｎnで演算を行なうと、演算結果にさらなる誤差を含むことがある。このように、一つの演算に用いる２以上の測定データ（検出信号）間でその取得時の時間差からバックグラウンドが異なっていることがあり、測定結果に影響を与えていた。
【００１３】
そこで、本発明は、ガス分析計における測定のバックグラウンドの時間変化の影響が加味された測定結果を得ることができるようにすることを目的とするものである。
【課題を解決するための手段】
【００１４】
本発明は、ガスを流通させるためのセルを備え、セルを流れるガス中のＮＯ濃度に起因した検出信号を発する検出器と、サンプルガス、サンプルガス中の窒素化合物をＮＯに変換した変換ガス又は基準ガスのうち互いに異なるいずれかのガスである第１ガス及び第２ガスを含む複数種類のガスをセルに一定周期で切り替えて順次導入するガス導入機構と、検出器で得られた検出信号を逐次記憶していく検出信号記憶部と、一定周期で設定された演算タイミングで、検出信号記憶部の検出信号に基づいてサンプルガス中の窒素化合物濃度の演算を行なう演算処理部と、を備えたガス分析計である。
そして演算処理部は、その演算タイミングの直前（第ｎ回目（ｎは２以上の自然数））の第１ガスについての測定で得られた検出信号である直前第１ガス信号と、第１ガスについての前回（第ｎ−１回目）の測定で得られた検出信号である前回第１ガス信号について、それぞれの信号が得られた時点と、前回第１ガス信号が得られた後で直前第１ガス信号が得られる前の第２ガスについての検出信号である第２ガス信号が得られた時点との間の時間差の比率に基づいて重み付けを行ない、第２ガス信号が得られた時点を基準とする第１ガスについての検出信号を求める重み付け手段と、重み付け手段により求められた第１ガスについての検出信号と第２ガス信号とを用いて第２ガス信号が得られた時点におけるサンプルガス中の窒素化合物濃度の演算を行なう演算手段と、を備えている。
ここでいう窒素化合物とは、ＮＯ、ＮＯ2、ＮＯX又はＮＨ3のいずれかである。ＮＯXとは、ＮＯとＮＯ2を主とする窒素酸化物の総称である。
【発明の効果】
【００１５】
本発明によれば、演算処理部が、演算タイミングの直前の第１ガスについての測定で得られた直前第１ガス信号と、第１ガスについての前回の測定で得られた前回第１ガス信号について、それぞれの信号が得られた時点と第２ガス信号が得られた時点との間の時間差の比率に基づいて重み付けを行ない、第２ガス信号が得られた時点を基準とする第１ガスについての検出信号を求める重み付け手段を備えているので、直前第１ガス信号と前回第１ガス信号から第１ガス信号の時間的変化を考慮した第２ガス信号取得時点の第１ガス信号が得られる。そして、演算処理部が、重み付け手段により求められた第１ガスについての検出信号と第２ガス信号とを用いて第２ガス信号が得られた時点におけるサンプルガス中の窒素化合物濃度の演算を行なう演算手段をさらに備えているので、第１ガス信号の時間的変化を考慮した窒素化合物濃度の演算が行なわれる。これにより、測定のバックグラウンドの時間的変化を加味した窒素化合物濃度の演算結果を得ることができる。
【図面の簡単な説明】
【００１６】
【図１】サンプルガスと基準ガスを切り替えて検出器のセルに導入する方式のガス分析計の一実施例を示す概略構成図である。
【図２】同実施例のガス分析計における測定動作を説明するためのタイムチャートである。
【図３】基準ガスを検出器のセルに導入しない方式のガス分析計の一実施例を示す概略構成図である。
【図４】同実施例のガス分析計における測定動作を説明するためのタイムチャートである。
【図５】従来のガス分析計の一例を示す概略構成図である。
【図６】従来のガス分析計の測定動作を説明するためのタイムチャートである。
【発明を実施するための形態】
【００１７】
本発明のガス分析計において、演算処理部の重み付け手段は、第２ガス信号の得られた時点から直前第１ガス信号の得られた時点までの時間の長さと、前回第１ガス信号の得られた時点から第２ガス信号の得られた時点までの時間の長さの比率がＡ：Ｂであった場合に、直前第１ガス信号と前回第１ガス信号にＢ：Ａの比率の係数を掛けて重み付けを行なうように構成されていることが好ましい。そうすれば、基準となる第２ガス信号の取得時に近い時間帯に取得された信号ほど窒素化合物濃度の演算に大きく取り入れられ、演算結果の精度を高めることができる。
【００１８】
また、演算処理部の重み付け手段は、直前第１ガス信号及び前回第１ガス信号をそれぞれ前半部分と後半部分の少なくとも２つに時間的に分割し、直前第１ガス信号の前半部分と前回第１ガス信号の後半部分について重み付けを行なうように構成されていることが好ましい。そうすれば、直前第１ガス信号と前回第１ガス信号の第２ガス信号により近い部分のみが窒素化合物濃度の演算に使用されるようになり、測定のバックグラウンドの時間的変化の影響をさらに小さくすることができる。
【００１９】
サンプルガスに含まれる窒素化合物としては、ＮＯ2又はＮＨ3が挙げられる。
【００２０】
以下に、ガス分析計の一実施例について、図面を参照しながら説明する。図１はサンプルガスと基準ガスを切り替えて検出器のセルに導入する方式のガス分析計の一実施例を示す概略構成図である。
このガス分析計は、サンプルガス中の窒素酸化物（窒素化合物）であるＮＯ、ＮＯ2及びＮＯX（ＮＯ＋ＮＯ2）の濃度を測定する。測定は、窒素酸化物を含まない基準ガス、窒素酸化物ＮＯXを含むサンプルガス（無変換ガス）、窒素酸化物ＮＯXをすべてＮＯにしたサンプルガス（変換ガス）を切り替えながら検出器２６のセルに導入し、それぞれのガスについてＮＯ濃度検出を行なう。基準ガスのＮＯ濃度を測定することで検出器２６の検出信号のピーク波形のベースラインのデータを取得し、そのデータに基づいて無変換ガス及び変換ガスの検出信号のピーク波形から各ガス中のＮＯ濃度を求める。無変換ガスのＮＯ濃度はサンプルガス中に含まれていたＮＯ濃度であり、変換ガスのＮＯ濃度は窒素酸化物ＮＯXの濃度である。したがって、変換ガスのＮＯ濃度から無変換ガスのＮＯ濃度を差し引くことで、サンプルガス中のＮＯ2の濃度が求められる。
【００２１】
サンプルガスを検出器２６のセルに導くためのサンプルガス流路２と、基準ガスを検出器２６のセルに導くための基準ガス流路４が設けられている。サンプルガス流路２と基準ガス流路４はともに検出器２６が配置されている検出流路８に接続されている。
【００２２】
サンプルガス流路２上にポンプ１８、コンバータ２２及び電磁弁２４が設けられている。コンバータ２２はリン酸を含侵した活性炭などＮＯ2をＮＯに変換する触媒が封入された管からなり、サンプルガスをコンバータ２２に通すことでサンプルガス中の窒素酸化物ＮＯXをすべてＮＯに変換することができる。電磁弁２４はサンプルガス流路２と検出流路８との間の接続と遮断を切り替えるものである。
【００２３】
サンプルガス流路２上のコンバータ２２の上流側に３方電磁弁２０を介してバイパス流路６が接続されている。バイパス流路６はサンプルガスをコンバータ２２に通さずに迂回させてサンプルガス流路２に戻す流路である。サンプルガス流路２は、３方電磁弁２０によってサンプルガスをコンバータ２２に通す状態になっているときに変換ガス流路を構成し、３方電磁弁２０によってサンプルガスをバイパス流路６側へ迂回させる状態になっているときに無変換ガス流路を構成する。サンプルガスは、変換ガス流路を通ることによって変換ガスとなり、無変換ガス流路を通ることによって無変換ガスとなる。サンプルガス流路２の電磁弁２４の直前の位置に排出流路１０が接続されており、電磁弁２４が閉じられているときにはサンプルガスが排出流路１０から排出されるようになっている。
【００２４】
基準ガス流路４上にフィルタ２８、ポンプ３２及び電磁弁３４が設けられている。基準ガス流路４では、ポンプ３２によってフィルタ２８を介して引き込まれた空気が基準ガス精製器３０（例えば、ホプカライト）を経て基準ガスとされる。電磁弁３４は基準ガス流路４と検出流路８との間の接続と遮断を切り替えるものである。基準ガス流路４の電磁弁３４の直前の位置に排出流路１６が接続されており、電磁弁３４が閉じられているときは基準ガスが排出流路１６から排出されるようになっている。
【００２５】
電磁弁２０、２４及び３４の動作を制御するための制御部３６、種々の処理を行なう演算処理部３８及び検出器２６で得られた検出信号を記憶する検出信号記憶部３７が設けられている。
【００２６】
制御部３６は演算処理部３８から与えられる命令信号に基づいて電磁弁２０、２４及び３４を切り替え、検出器２６のセルに導入されるガスを基準ガス、コンバータ２２を経たサンプルガス（変換ガス）及びコンバータ２２を迂回したサンプルガス（無変換ガス）のいずれかのガスに切り替える。
【００２７】
演算処理部３８は、予め設定された測定プログラムに基づいて検出器２６のセルに導入されるガスが一定周期で切り替えられて導入されるように制御部３６に信号を送る。各ガスが検出器２６に導入されているときに検出器２６で得られた検出信号は、逐次検出信号記憶部３７に記憶されていく。
【００２８】
また、演算処理部３８は重み付け手段３９と演算手段４０を備えている。演算手段４０は、予め設定された演算タイミングになったときに、その演算タイミングの直前に検出器で得られた検出信号と検出信号記憶部３７に記憶されている検出信号を使用してＮＯ、ＮＯ2及びＮＯXの濃度を求める演算を行なうよう構成されたものである。重み付け手段３９は、演算手段４０が演算に使用する検出信号についての重み付けを行なうよう構成されたものである。
【００２９】
以下に、演算処理部３８によるＮＯ、ＮＯ2及びＮＯXの濃度の演算処理の一例について図２を参照しながら説明する。図２において、Ｎ回目（Ｎは２以上の自然数）のセルへの基準ガス導入時の検出信号をＲn、Ｎ回目のセルへの変換ガス導入時の検出信号をＮＸn、Ｎ回目のセルへの無変換ガス導入時の検出信号をＮnと表わす。
【００３０】
この実施例において、検出器２６のセルへの導入ガスは１０秒ごとに切り替えられる。流路内やセル内のガスが完全に置換されるまでの時間を考慮し、セルへの導入ガスが切り替えられてから５秒が経過した後の残りの５秒間の検出器２６の検出信号が使用されるようになっている。演算処理部３８では、取り込んだ５秒間分の検出信号を前半２．５秒間分（「'」付きで表示）と後半２．５秒間分（「"」付きで表示）に分割して各演算に使用する。
【００３１】
演算処理部３８では、検出器２６で５秒間分の検出信号が取得された直後に演算が行なわれるように演算タイミングが設定されている。演算において、その演算タイミングの直前にセルに導入されていたガスを第１ガスとし、そのときに得られた検出信号が直前第１ガス信号として使用され、同じ第１ガスについての前回の測定で得られた検出信号が前回第１ガス信号として使用される。また、演算の基準となる第１ガスとは別のガスを第２ガスとし、その第２ガスについて前回第１ガス信号の取得後で直前第１ガス信号の取得前に得られた検出信号が第２ガス信号として使用される。
以下、図２の（Ａ）〜（Ｃ）の演算タイミングを例に説明する。
【００３２】
（Ａ）の演算タイミングでは、この演算タイミングの直前に得られた変換ガス（第１ガス）についての検出信号ＮＸn（直前第１ガス信号）、前回の変換ガス測定時に得られた検出信号ＮＸn-1（前回第１ガス信号）及びＮＸnの取得時とＮＸn-1の取得時の間に得られた基準ガス（第２ガス）についての検出信号Ｒn（第２ガス信号）が使用される。
【００３３】
演算処理部３８では、まず、重み付け手段３９が、検出信号Ｒnが取得された時点を基準とした検出信号ＮＸnとＮＸn-1について重み付けを行なう。この実施例では、重み付けにおいて、検出信号Ｒnが取得された時点により近い時期に取得された検出信号を演算に反映させるため、検出信号ＮＸnとＮＸn-1のうち検出信号ＮＸnの前半部分ＮＸn'と検出信号ＮＸn-1の後半部分ＮＸn-1"を使用する。
【００３４】
検出信号ＮＸn'とＮＸn-1"について、検出信号ＮＸnとＮＸn-1のそれぞれの取得時と検出信号Ｒnの取得時との間の時間差に基づいて、検出信号の取得時が検出信号Ｒnの取得時に近いほどその検出信号が大きく反映されるように重み付け係数「ａ，ｂ」を設定し、「ａＮＸn'＋ｂＮＸn-1"」を求める。演算手段４０は、重み付け手段３９により求められた「ａＮＸn'＋ｂＮＸn-1"」とＲnを使用し、ＮＯX濃度を求める演算を行なう。
【００３５】
この演算における重み付け係数「ａ，ｂ」は、以下のように設定する。
Ｒnの取得時からＮＸnの取得時までの時間は１０秒であり、ＮＸn-1の取得時からＲnの取得時までの時間差は２０秒である。したがって、Ｒnの取得時との時間差が半分であるＮＸn'がＮＸn-1"よりも２倍大きく演算結果に反映されるように「ａ＝４／３，ｂ＝２／３」と設定する。この演算により、基準ガスについての検出信号Ｒnが取得された時点におけるＮＯX濃度が求められる。
【００３６】
（Ｂ）の演算タイミングでは、この演算タイミングの直前に得られた無変換ガス（第１ガス）についての検出信号Ｎn（直前第１ガス信号）、前回の無変換ガス測定時に得られた検出信号Ｎn-1（前回第１ガス信号）及びＮnの取得時とＮn-1の取得時の間に取得された基準ガス（第２ガス）についての検出信号Ｒn（第２ガス信号）が使用される。
【００３７】
演算タイミング（Ａ）における演算と同様に、重み付け手段３９が検出信号Ｒnの取得時を基準とする重み付けを行ない、重み付け係数「ｃ，ｄ」を設定してＲnの取得時における無変換ガスについての検出信号「ｃＮn'＋ｄＮn-1"」を求める。演算手段４０は、重み付け手段３９により求められた「ｃＮn'＋ｄＮn-1"」を使用し、ＮＯ濃度を求める演算を行なう。
【００３８】
この演算における重み付け係数「ｃ，ｄ」は、以下のように設定する。
Ｒnの取得時からＮnの取得時までの時間は２０秒であり、Ｒnの取得時からＮn-1の取得時までの時間は１０秒である。したがって、Ｒnの取得時との時間差が半分であるＮn-1'がＮn"よりも２倍大きく演算結果に反映されるように「ｃ＝２／３，ｄ＝４／３」と設定する。この演算により、検出信号Ｒnが取得された時点におけるＮＯ濃度が求められる。
【００３９】
（Ｃ）の演算タイミングでは、この演算タイミングの直前に得られた基準ガス（第１ガス）導入時の検出信号Ｒn+1（直前第１ガス信号）及び前回の基準ガス測定時に得られた検出信号Ｒn（前回第１ガス信号）を使用し、検出信号ＮＸnが取得された時点と検出信号Ｎnが取得された時点についての演算が行なわれる。
【００４０】
変換ガス導入時の検出信号ＮＸnが取得された時点については、検出信号Ｒn+1とＲnについて上記演算と同様に重み付け手段４０が重み付けを行ない、検出信号ＮＸnが取得された時点における基準ガスについての検出信号「ｅＲn+1'＋ｆＲn"」を求める。この場合の、重み付け係数「ｅ，ｆ」は「ｅ＝２／３，ｆ＝４／３」である。この演算により、検出信号ＮＸnの取得時におけるＮＯX濃度が求められる。
【００４１】
無変換ガス導入時の検出信号Ｎnが取得された時点については、検出信号Ｒn+1とＲnについて上記演算と同様に重み付け手段４０が重み付けを行ない、検出信号Ｎnが取得された時点における基準ガスについての検出信号「ｇＲn+1'＋ｈＲn"」を求める。この場合の重み付け係数「ｇ，ｈ」は「ｇ＝４／３，ｈ＝２／３」である。この演算により、検出信号Ｎnの取得時におけるＮＯ濃度が求められる。
【００４２】
なお、ＮＯ2濃度は、各演算タイミングにおいて、ＮＯX濃度からＮＯ濃度を差し引くことにより求められる。
【００４３】
次に、検出器のセルに基準ガスを導入しない方式のガス分析計の実施例について説明する。図３は検出器のセルに基準ガスを導入しない方式のガス分析計の概略構成図である。
この実施例のガス分析計は、図１のガス分析計の基準ガス流路４が省かれたものであり、その他の構成や検出信号の取得方法などは図１のガス分析計と同じである。このガス分析計では、検出器２６のセルにコンバータ２２を経たサンプルガス（変換ガス）及びコンバータ２２を迂回したサンプルガス（無変換ガス）が一定周期で切り替えられて交互に導入される。演算処理部４０は、各ガスがセルに導入されているときに検出器２６で取得された検出信号に基づいてサンプルガス中のＮＯX濃度、ＮＯ濃度及びＮＯ2濃度を求める演算を行なう。
【００４４】
ＮＯX濃度、ＮＯ濃度及びＮＯ2濃度の演算について図４を用いて説明する。なお、この実施例においても、Ｎ回目のセルへの変換ガス導入時の検出信号をＮＸn、Ｎ回目のセルへの無変換ガス導入時の検出信号をＮnと表わす。この実施例においても、各ガスについての検出信号が得られた直後に演算がなされるように演算タイミングが設定されている。各演算タイミングにおける演算では、その演算タイミングの直前にセルに導入されていた一方のガスを第１ガスとし、そのときに得られた検出信号が直前第１ガス信号として使用され、同じ第１ガスについての前回の測定で得られた検出信号が前回第１ガス信号として使用される。また、その演算では、他方のガスを第２ガスとし、その第２ガスについて前回第１ガス信号の取得後で直前第１ガス信号の取得前に得られた検出信号が第２ガス信号として使用される。以下、演算タイミング（Ｄ）〜（Ｆ）について説明する。
【００４５】
（Ｄ）の演算タイミングでは、重み付け手段３９が、変換ガス（第２ガス）導入時の検出信号ＮＸn（第２ガス信号）が取得された時点を基準として、その前後に取得された無変換ガス（第１ガス）導入時の検出信号Ｎn（直前第１ガス信号）とＮn-1（前回第１ガス信号）についての重み付けを行ない、検出信号ＮＸnが取得された時点における無変換ガスについての検出信号「ｉＮn'＋ｊＮn-1"」を求める。
【００４６】
ＮＸnの取得時からＮnの取得時までの時間は１０秒であり、検出信号Ｎn-1の取得時からＮＸnの取得時までの時間も１０秒である。したがって、両検出信号Ｎn'及びＮn-1"が演算に等しく反映されるようにするため、重み付け係数「ｉ，ｊ」は「ｉ＝１，ｊ＝１」と設定される。演算手段４０は、検出信号「ＮＸn」と重み付けされた検出信号「Ｎn'＋Ｎn-1"」を使用してＮＸnが取得された時点におけるＮＯX濃度及びＮＯ濃度が求められ、さらにＮＯX濃度からＮＯ濃度を差し引くことによってＮＸnが取得された時点におけるＮＯ2濃度が求められる。
【００４７】
（Ｅ）の演算タイミングでは、重み付け手段３９が、無変換ガス（第２ガス）導入時の検出信号Ｎn（第２ガス信号）が取得された時点を基準として、その前後に取得された変換ガス（第１ガス）導入時の検出信号ＮＸn+1（直前第１ガス信号）とＮＸn（前回第１ガス信号）についての重み付けを行ない、検出信号Ｎnが取得された時点における変換ガスについての検出信号「ｋＮn'＋ｌＮn-1"」を求める。この場合の重み付け係数「ｋ，ｌ」は「ｋ＝１，ｌ＝１」である。この演算により、検出信号Ｎnが取得された時点におけるＮＯX濃度及びＮＯ濃度が求められ、さらにＮＯX濃度からＮＯ濃度を差し引くことによってＮＸnが取得された時点におけるＮＯ2濃度が求められる。（Ｆ）以降の演算タイミングにおいても上記（Ｄ）及び（Ｅ）と同様の演算が行なわれる。
【００４８】
なお、以上において説明した実施例では、サンプルガス中のＮＯ、ＮＯ2及びＮＯXを測定するガス分析計について説明したが、図１及び図３のコンバータ２２を、サンプルガス中のＮＨ３をＮＯに変換するものに変更することで、サンプルガス中のＮＯ及びＮＨ3を測定するガス分析計にも適用させることができる。なお、その場合のコンバータ２２の触媒としても、リン酸を含侵した活性炭を使用することができる。
【００４９】
また、実施例では、検出器２６のセルへの１回のガス導入時に得られる検出信号を前半部分と後半部分に分割して演算に使用する場合について説明したが、検出信号を分割せずに各演算に使用してもよい。
【符号の説明】
【００５０】
２      サンプルガス流路
４      基準ガス流路
６      バイパス流路
８      検出流路
１０，１６    排出流路
１８，３２    ポンプ
２０，２４，３０    電磁弁
２２      コンバータ
２６      検出器
２８      フィルタ
３０      基準ガス精製器
３６      制御部
３８      演算制御部
３９      重み付け手段
４０      演算手段
【図１】
2013156234.tif 000003
【図２】
2013156234.tif 000004
【図３】
2013156234.tif 000005
【図４】
2013156234.tif 000006
【図５】
2013156234.tif 000007
【図６】
2013156234.tif 000008